(57)【特許請求の範囲】
【請求項１】
下端側及び上端側においてヒンジ機構を介して互いに連結されて、折り畳み自在な上方及び下方戸板手段と、下方戸板手段の下端側を持ち上げて、上方及び下方戸板手段を互いに折り畳むべく、下方戸板手段の下端側に連結された持ち上げ手段と、完全閉鎖の際に、上方及び下方戸板手段の折り畳みを禁止するロック手段とを備えており、ロック手段は、ヒンジ機構に設けられており、このロック手段付きのヒンジ機構は、上方及び下方戸板手段のいずれか一方に固定されて設けられた係合軸と、この係合軸が係合しており、上方及び下方戸板手段のいずれか他方に形成された係合孔とを備えており、係合軸は、少なくとも一つの平坦面を有しており、係合孔は、係合軸の平坦面に係合する少なくとも一つの平坦面を有して、係合軸の回転を阻止する回転阻止孔と、この回転阻止孔に連通して、係合軸の回転を許容する回転許容孔とを有しており、係合軸は、折り戸の閉鎖時には、回転阻止孔に位置して、上方及び下方戸板手段の折り畳みを禁止し、持ち上げ手段による下方戸板手段の下端側の初期の持ち上げで、回転許容孔に位置して、上方及び下方戸板手段の折り畳みを許容するようになっている折り戸。
【請求項２】
ヒンジ機構と独立に設けられたロック手段を更に具備しており、このヒンジ機構と独立に設けられたロック手段は、上方及び下方戸板手段のいずれか一方に固定されて設けられた係合部材と、この係合部材が係合しており、上方及び下方戸板手段のいずれか他方に形成された開口付き係合孔とを備えており、開口付き係合孔は、上下方向に伸びた長孔と、この長孔の上部又は下部に連通すると共に、前方に開口した開口孔とを有しており、係合部材は、折り戸の閉鎖時には、長孔の下部又は上部に位置して、上方及び下方戸板手段の折り畳みを禁止し、持ち上げ手段による下方戸板手段の下端側の初期の持ち上げで、長孔の上部又は下部に位置して、上方及び下方戸板手段の折り畳みを許容するようになっている請求項１に記載の折り戸。
【請求項３】
下端側及び上端側においてヒンジ機構を介して互いに連結されて、折り畳み自在な上方及び下方戸板手段と、下方戸板手段の下端側を持ち上げて、上方及び下方戸板手段を互いに折り畳むべく、下方戸板手段の下端側に連結された持ち上げ手段と、完全閉鎖の際に、上方及び下方戸板手段の折り畳みを禁止するロック手段とを備えており、ロック手段は、ヒンジ機構と独立に設けられており、ロック手段は、上方及び下方戸板手段のいずれか一方に固定されて設けられた係合部材と、この係合部材が係合しており、上方及び下方戸板手段のいずれか他方に形成された開口付き係合孔とを備えており、開口付き係合孔は、上下方向に伸びた長孔と、この長孔の上部又は下部に連通すると共に、前方に開口した開口孔とを有しており、係合部材は、折り戸の閉鎖時には、長孔の下部又は上部に位置して、上方及び下方戸板手段の折り畳みを禁止し、持ち上げ手段による下方戸板手段の下端側の初期の持ち上げで、長孔の上部又は下部に位置して、上方及び下方戸板手段の折り畳みを許容するようになっている折り戸。
【請求項４】
持ち上げ手段による下方戸板手段の下端側の初期の持ち上げにおいて、係合部材が当接する長孔の縁と、この縁と連続する開口孔の縁とは、上方及び下方戸板手段の折り畳み方向を規定するように、連続した傾斜縁として形成されている請求項２又は３に記載の折り戸。
【請求項５】
係合部材は、回転自在なローラを具備しており、このローラは、持ち上げ手段による下方戸板手段の下端側の初期の持ち上げにおいて、長孔の縁と開口孔の縁とからなる連続した傾斜縁に当接して、回転するようになっている請求項４に記載の折り戸。
【発明の詳細な説明】
【０００１】
【発明の属する技術分野】
本発明は、住宅等の建物の窓又は出入り口の調光、日除け庇、目隠し等に用いることができる折り戸に関する。
【０００２】
【発明が解決しようとする課題】
折り戸としては、特開平９−１５１６６６号公報又は特開平９−１８４３５１号公報等に開示されており、これらの折り戸においては、その下方戸板の下端がねじ軸により上昇、下降されて、開口、閉鎖されるようになっている。
【０００３】
ところで、このような折り戸は、上方戸板と下方戸板とがその下端部及び上端部において、すなわち全体から見るとその上下方向の中間部で単にヒンジ機構を介して連結されたものであるため、上方戸板と下方戸板とに関してはいわば片持ち支持であるため、閉鎖時に上方戸板と下方戸板とが強風に煽られたりすると、その中間部が外側に孕み出して、所望の閉鎖状態を維持し得なくなったり、騒音を発生したりする。
【０００４】
また、このような孕み出し力に起因して上方戸板と下方戸板との上部及び下部に無理な力が加わると、当該上部及び下部並びに上部及び下部で上方戸板と下方戸板との夫々を片持ち支持する機構に早期の劣化を生じさせる虞もある。
【０００５】
本発明は、前記諸点に鑑みてなされたものであって、その目的とするところは、閉鎖時における強風等による連結部の近傍の孕みだしを容易になくすことができ、戸板全体をほぼ平坦にしっかりと保持し得て、騒音の発生の虞をなくし得る折り戸を提供することにある。
【０００６】
【課題を解決するための手段】
本発明の第一の態様の折り戸は、下端側及び上端側においてヒンジ機構を介して互いに連結されて、折り畳み自在な上方及び下方戸板手段と、下方戸板手段の下端側を持ち上げて、上方及び下方戸板手段を互いに折り畳むべく、下方戸板手段の下端側に連結された持ち上げ手段と、完全閉鎖の際に、上方及び下方戸板手段の折り畳みを禁止するロック手段とを備えている。
【０００７】
第一の態様の折り戸では、完全閉鎖の際に、上方及び下方戸板手段の折り畳みを禁止するロック手段を具備しているために、閉鎖時における強風等による上方及び下方戸板手段の連結部近傍での孕みだしを容易になくすことができ、戸板全体をほぼ平坦にしっかりと保持でき、上方及び下方戸板手段のばたつきによる騒音をなくし得る。
【０００８】
本発明の第二の態様の折り戸では、第一の態様の折り戸において、ロック手段は、ヒンジ機構に設けられており、このロック手段付きのヒンジ機構は、上方及び下方戸板手段のいずれか一方に固定されて設けられた係合軸と、この係合軸が係合しており、上方及び下方戸板手段のいずれか他方に形成された係合孔とを備えており、係合軸は、少なくとも一つの平坦面を有しており、係合孔は、係合軸の平坦面に係合する少なくとも一つの平坦面を有して、係合軸の回転を阻止する回転阻止孔と、この回転阻止孔に連通して、係合軸の回転を許容する回転許容孔とを有しており、係合軸は、折り戸の閉鎖時には、回転阻止孔に位置して、上方及び下方戸板手段の折り畳みを禁止し、持ち上げ手段による下方戸板手段の下端側の初期の持ち上げで、回転許容孔に位置して、上方及び下方戸板手段の折り畳みを許容するようになっている。
【０００９】
第二の態様の折り戸によれば、ロック手段を、ヒンジ機構に設け、ロック手段を係合軸と係合孔との係合で行うために、機構が簡単となり、しかも、確実なロックを行うことができる。すなわち、ロック手段の係合軸と係合孔とは、ヒンジ機構の係合軸と係合孔でもあり、このように係合軸と係合孔とを、ロック手段及びヒンジ機構の両方に共用するために、機構が簡単となり、しかも、確実なロックを行うことができる。
【００１０】
係合軸と係合孔とは、上方及び下方戸板手段のいずれに設けてもよいが、好ましい例では、係合軸を下方戸板手段に、係合孔を上方戸板手段に夫々設ける。また、係合軸は、戸板手段に一体的に形成されてもよいが、戸板手段と別体な部材を戸板手段に取り付けて具体化してもよい。係合軸としては、突起状のものでも又は両端が上方及び下方戸板手段のいずれかに支持された柱状のものであってもよく、また、係合孔としては、必ずしも貫通されている必要はなく、有底のものであってもよい。
【００１１】
本発明の第三の態様の折り戸では、第一又は第二の態様の折り戸において、ロック手段は、ヒンジ機構と独立に設けられており、ロック手段は、上方及び下方戸板手段のいずれか一方に固定されて設けられた係合部材と、この係合部材が係合しており、上方及び下方戸板手段のいずれか他方に形成された開口付き係合孔とを備えており、開口付き係合孔は、上下方向に伸びた長孔と、この長孔の上部又は下部に連通すると共に、前方に開口した開口孔とを有しており、係合部材は、折り戸の閉鎖時には、長孔の下部又は上部に位置して、上方及び下方戸板手段の折り畳みを禁止し、持ち上げ手段による下方戸板手段の下端側の初期の持ち上げで、長孔の上部又は下部に位置して、上方及び下方戸板手段の折り畳みを許容するようになっている。
【００１２】
本第三の態様の折り戸においても、係合部材と開口付き係合孔とは、上方及び下方戸板手段のいずれに設けてもよいが、好ましい例では、係合部材を下方戸板手段に、開口付き係合孔を上方戸板手段に夫々設ける。また、係合部材は、戸板手段に一体的に形成されてもよいが、戸板手段と別体な部材を戸板手段に取り付けて具体化してもよい。
【００１３】
第二及び第三の態様におけるロック手段の夫々は、単独でも、両者共に用いられてもよいが、第二の態様におけるロック手段に加えて第三の態様におけるロック手段をも用いる場合には、いずれか一方の機能低下、特に劣化しやすいヒンジ機構に設けられるロック手段の機能低下を確実に補うことができ好ましい。係合部材としては、突起状のものでも又は両端が上方及び下方戸板手段のいずれかに支持された柱状のものであってもよく、また、開口付き係合孔としては、必ずしも貫通されている必要はなく、有底のものであってもよい。
【００１４】
本発明の第四の態様の折り戸では、第三の態様の折り戸において、持ち上げ手段による下方戸板手段の下端側の初期の持ち上げにおいて、係合部材が当接する長孔の縁と、この縁と連続する開口孔の縁とは、上方及び下方戸板手段の折り畳み方向を規定するように、連続した傾斜縁として形成されている。
【００１５】
第四の態様の折り戸によれば、連続した傾斜縁により上方及び下方戸板手段の折り畳み方向が規定されるため、持ち上げ手段による下方戸板手段の下端側の初期の持ち上げにおいて、上方及び下方戸板手段の突っ張った状態を容易に解除でき、滑らかに折り畳みを開始できる。
【００１６】
本発明の第五の態様の折り戸では、第四の態様の折り戸において、係合部材は、回転自在なローラを具備しており、このローラは、持ち上げ手段による下方戸板手段の下端側の初期の持ち上げにおいて、長孔の縁と開口孔の縁とからなる連続した傾斜縁に当接して、回転するようになっている。
【００１７】
第五の態様の折り戸によれば、ローラの回転により上方及び下方戸板手段の突っ張った状態を更に容易に解除でき、極めて滑らかに折り畳みを開始できる。
【００１８】
本発明の折り戸は、通路の開閉に用いられる特開平９−１５１６６６号公報又は特開平９−１８４３５１号公報等に開示されたものに、更には、日除け、日除け庇として用いられる特公平７−５９８６７号公報等に記載された折り畳み自在なブラインドにも用いることができ、したがって、本発明の折り戸は、通路の開閉戸はもちろんのこと、建物の窓等に用いられるブラインド、鎧戸等をも含むものである。
【００１９】
【発明の実施の形態】
次に本発明及びその実施の形態を、図に示す好ましい例に基づいて更に詳細に説明する。なお、本発明はこれら例に何等限定されないのである。
【００２０】
図１から図１１において、本例の折り戸１は、互いに平行に立設された中空の縦枠２及び３と、下端側及び上端側においてヒンジ機構１４を介して互いに連結されて、軸心４の周りで互いに折り畳み自在に連結された上方及び下方戸板手段５及び６と、下方戸板手段６の下端側７を持ち上げて、上方及び下方戸板手段５及び６を互いに折り畳むべく、下方戸板手段６の下端側７に連結された持ち上げ手段８と、持ち上げ手段８のチェーン１２の走行を案内して、チェーン１２を非可撓性にする手段１３と、折り戸１の完全閉鎖の際に、上方及び下方戸板手段５及び６の折り畳みを禁止するロック手段１５とを備えている。
【００２１】
本例の折り戸１では、縦枠２側と縦枠３側とは、互いに同様に構成されているため、以下、縦枠２側について主に説明し、必要に応じて縦枠３側についても説明する。
【００２２】
上方戸板手段５は、一対の互いに平行に配された側枠３１及び３２と、側枠３１及び３２を橋絡して互いに平行に配された多数の遮光用及び目隠し用の羽根３３と、側枠３１及び３２の上端側３４及び３５の夫々に一体的に形成された軸受３６（側枠３２側は図示せず）とを具備している。上方戸板手段５は、縦枠２側では、縦枠２に設けられて軸受３６を貫通する軸３７により、軸心３８の周りで回動自在に縦枠２に支持されており、縦枠３側でも同様に軸心３８の周りで回動自在に縦枠３に支持されている。
【００２３】
下方戸板手段６は、上方戸板手段５と同様に、一対の互いに平行に配された側枠４１及び４２と、側枠４１及び４２を橋絡して互いに平行に配された多数の遮光用及び目隠し用の羽根４３と、側枠４１及び４２の下端側４４及び４５の夫々に一体的に形成された軸受４６（側枠４２側は図示せず）とを具備している。下方戸板手段６は、その下端側７で、軸受４６を貫通する軸４７により軸心４８の周りで回動自在に支持されており、縦枠３側でも同様に軸心４８の周りで回動自在に支持されている。
【００２４】
側枠３１及び３２の夫々は、中空の側枠本体５１及び５２と、側枠本体５１及び５２の下端側の夫々に、夫々の一端部４９（側枠３２側は図示せず）が挿入されて当該一端部４９でねじ５０により固着された板体５３及び５４とを具備しており、板体５３及び５４の他端部５７（側枠３２側は図示せず）の夫々は、中空の側枠４１及び４２の上端側５５及び５６の夫々に挿入されている。側枠４１及び４２の上端側５５及び５６の夫々の一側面には、板体５３及び５４を含む側枠３１及び３２が回動し得るように、スリット５９及び６０が形成されている。
【００２５】
持ち上げ手段８は、ブレーキ付き電動モータ６１と、縦枠２内に回転自在に配されたスプロケットホイール６２と、縦枠２内に昇降自在に配された可動台車６３と、スプロケットホイール６２に掛け回されて、一端６４がワイヤ６５を介して可動台車６３に連結された前記のチェーン１２と、電動モータ６１の出力回転軸の回転をスプロケットホイール６２に減速して伝達するように、スプロケットホイール６２が固着された出力回転軸６６を具備した減速歯車機構からなる伝達機構６７と、チェーン１２の他端６８に連結されて、チェーン１２に張力を与えると共に、電動モータ６１の負荷を軽減する引っ張り機構６９とを具備している。
【００２６】
持ち上げ手段８は、縦枠３側にも、電動モータ６１及び伝達機構６７を除いて、スプロケットホイール６２、可動台車６３、チェーン１２及び引っ張り機構６９と同様のスプロケットホイール、可動台車、チェーン及び引っ張り機構を具備しており、このため、伝達機構６７は、縦枠３側のスプロケットホイールに電動モータ６１の出力回転軸の回転を減速して伝達するように出力回転軸６６と同期回転し、当該縦枠３側のスプロケットホイールが固着された伝達回転軸７０を具備している。
【００２７】
可動台車６３は、台車本体８１と、台車本体８１に固着された前記の軸４７と、軸４７に回転自在に装着された案内ローラ８２とを具備している。ワイヤ６５は、一端では、チェーン１２の一端６４のチェーンローラに固着されたピン８３に連結されており、他端では、台車本体８１に固着されており、これにより、可動台車６３は、ワイヤ６５及びピン８３を介してチェーン１２の一端６４に吊り下げられている。案内ローラ８２は、可動台車６３の昇降時に縦枠２の内壁面に転がり接触して、可動台車６３の滑らかな昇降を確保する。
【００２８】
軸４７は、軸受４６に挿着されており、これにより、下方戸板手段６の下端側７は、軸心４８の周りで回動自在に可動台車６３に連結されている。図１に示す折り戸１の閉鎖状態で、軸心４８を通る鉛直線から上方及び下方戸板手段５及び６の張り出し方向に軸心４を位置させるようにしてもよく、このようにすると、下方戸板手段６の下端側７が持ち上げ手段８により持ち上げられる際、この持ち上げ力が、下方戸板手段６の大きな回転モーメントとなり、しかも、上方及び下方戸板手段５及び６の折り畳み方向が特定されることになる。この場合、軸心３８は、図１に示す戸板１の閉鎖状態で、軸心４８を通る鉛直線から上方及び下方戸板手段５及び６の張り出し方向に位置しており、且つ軸心４を通る鉛直線に対して、軸心４８側に位置している。なお、軸心４及び軸心３８は、図１に示す折り戸１の閉鎖状態で、軸心４８を通る鉛直線上に位置してもよい。
【００２９】
縦枠２内に配された引っ張り機構６９は、特に図７に示すように、チェーン１２の他端６８に固着された昇降自在な連結具９１と、縦枠２の下端の内面に固着された固定台９２と、固定台９２に固着された軸９３と、軸９３の周りで回転自在となるように配された巻き取りドラム９４と、一端が巻き取りドラム９４に固着されて、他端が軸９３に固着された渦巻きばね９５と、一端がフック９６を介して連結具９１に連結され、他端が巻き取りドラム９４に固着されて、渦巻きばね９５のばね力により当該巻き取りドラム９４に巻き取られる可撓性のワイヤ９７とを具備している。
【００３０】
持ち上げ手段８は、図１に示す折り戸１の閉鎖状態で電動モータ６１が作動されることにより、スプロケットホイール６２を一方の方向に回転させてチェーン１２を走行させ、而して、下方戸板手段６の下端側７を持ち上げて上昇させる。この際、ワイヤ９７は巻き取りドラム９４に巻き取られて、チェーン１２の他端６８は、渦巻きばね９５のばね力により下降される。
【００３１】
また、持ち上げ手段８は、図２に示す折り戸１の開口状態で電動モータ６１が逆に作動されることにより、スプロケットホイール６２を他方の方向に回転させてチェーン１２を走行させ、而して、下方戸板手段６の下端側７を下降させる。この際、ワイヤ９７は巻き取りドラム９４から巻き出されて、チェーン１２の他端６８は、渦巻きばね９５のばね力に抗して上昇される。下方戸板手段６の下端側７の上昇停止、下降停止は、適宜に設けられたリミットスイッチからの信号により電動モータ６１の作動停止により行われる。
【００３２】
折り戸１の半開口状態は、電動モータ６１の途中停止で行われる。この場合、電動モータ６１は、ブレーキ付きであるため、その作動停止により、その出力回転軸に制動が加えられる結果、上方及び下方戸板手段５及び６の自重によるチェーン１２の走行が行われず、折り戸１の半開口状態が維持される。なお、ブレーキ付き電動モータ６１に代えて又はこれと共に、伝達機構６７にウオーム歯とこれに噛み合うウオーム歯車とを内蔵させて、このウオーム歯とウオーム歯車との噛み合いにより電動モータ６１の非作動時に上方及び下方戸板手段５及び６の自重でチェーン１２が走行されないようにし、折り戸１の半開口状態が維持されるようにしてもよい。
【００３３】
持ち上げ手段８のチェーン１２の走行を案内して、チェーン１２を非可撓性にする手段１３は、本例では、縦枠２及び３に一体的に形成されたレール部１８１及び１８２を具備しており、チェーン１２のチェーンローラをレール部１８１及び１８２に移動自在に挟んで、チェーン１２を撓まないようにしている。縦枠３側のチェーンもまた同様に、そのチェーンローラがレール部に移動自在に挟まれて、撓まないようにされている。
【００３４】
なお、スプロケットホイール６２を収容するハウジング１９１にも、チェーン１２のチェーンローラをスプロケットホイール６２と協同して移動自在に挟む案内板（図示せず）が設けられている。これにより、スプロケットホイール６２の周りでチェーン１２がスプロケットホイール６２から外れないようにされている。
【００３５】
ロック手段１５は、ヒンジ機構１４に設けられており、ロック手段１５付きのヒンジ機構１４は、特に図８に示すように、下方戸板手段６の側枠４１の上端側５５を貫通して且つ当該側枠４１の上端側５５に両端で溶接等により固定されて設けられた係合軸２０１と、係合軸２０１が貫通して係合しており、上方戸板手段５の側枠３１の板体５３に、貫通孔として形成された係合孔２０２とを備えている。
【００３６】
係合軸２０１は、少なくとも一つの平坦面、本例では一つの平坦面２０３を有して円柱状の軸部材からなり、係合孔２０２は、係合軸２０１の平坦面２０３に係合する一つの平坦面２０４を有して、係合軸２０１のＡ方向の回転を阻止する回転阻止孔２０５と、回転阻止孔２０５に連通して、係合軸２０１のＡ方向の回転を許容する回転許容孔２０６とを有している。なお、係合軸２０１としては、一つの平坦面２０３に加えて、平坦面２０３に対向して他の平坦面を形成した二面取り係合軸であってもよく、この場合には、回転阻止孔２０５としては、長孔であってもよい。
【００３７】
係合軸２０１は、折り戸１の閉鎖時（図１に示す状態）には、回転阻止孔２０５に位置して、平坦面２０３の平坦面２０４への係合により、上方及び下方戸板手段５及び６の折り畳みを禁止し、持ち上げ手段８による下方戸板手段６の下端側７の初期の持ち上げで、図１２に示すように、回転許容孔２０６に位置して、上方及び下方戸板手段５及び６の折り畳みを許容するようになっている。
【００３８】
以上のロック手段１５付きのヒンジ機構１４によれば、折り戸１の閉鎖時においては、係合軸２０１が回転阻止孔２０５に位置されて、回転阻止孔２０５に係合して回転できないようになっているため、下方戸板手段６の係合軸２０１を中心とする上方戸板手段５に対する回動、即ち、上方及び下方戸板手段５及び６の軸心４の周りでの互いの折り畳みが禁止されて、而して、強風等による上方及び下方戸板手段５及び６の連結部の近傍の孕みだしが阻止され、戸板全体がほぼ平坦にしっかりと保持されることになり、孕み出しに起因する騒音も発生しなくなる。
【００３９】
本例では、ヒンジ機構１４と独立に設けられたロック手段１５も具備しており、ヒンジ機構１４と独立なロック手段１５は、下方戸板手段６の側枠４１を貫通して且つ当該側枠４１に両端で溶接等により固定されて設けられた円柱状の係合部材２１１と、係合部材２１１が係合しており、上方戸板手段５の側枠３１の板体５３に形成された開口付き係合孔２１２とを備えている。
【００４０】
開口付き係合孔２１２は、上下方向に伸びた長孔２１３と、長孔２１３の上部に連通すると共に、前方に開口した開口孔２１４とを有しており、係合部材２１１は、折り戸の閉鎖時には、図８に示すように、長孔２１３の下部に位置して、上方及び下方戸板手段５及び６の折り畳みを禁止し、持ち上げ手段８による下方戸板手段６の下端側７の初期の持ち上げで、図１２に示すように、長孔２１３の上部に位置して、更に、図１３に示すように、開口孔２１４を介して開口付き係合孔２１２から抜け出るようにして、下方戸板手段６の係合軸２０１を中心とする上方戸板手段５に対する回動、即ち、上方及び下方戸板手段５及び６の軸心４の周りでの互いの折り畳みを許容するようになっている。
【００４１】
ロック手段１５付きのヒンジ機構１４に加えて、このようにヒンジ機構１４と独立なロック手段１５を設けることにより、ロック手段１５付きのヒンジ機構１４におけるロック機能が長期の使用により低下しても、これの機能低下を好ましく補うことができ、フェールセーフな折り戸１とし得る。
【００４２】
なお、長孔２１３の上の縁２２１と、縁２１１と連続する開口孔２１４の上の縁２２２とを、連続した上に向かって傾斜する傾斜縁２２３として形成すると共に、持ち上げ手段８による下方戸板手段６の下端側７の初期の持ち上げにおいて、係合部材２１１が傾斜縁２２３に当接するようにしてもよく、このようにすると、係合部材２１１の傾斜縁２２３への当接により、上方及び下方戸板手段５及び６の折り畳み方向が規定されるので、極めて好ましい。
【００４３】
また、係合部材２１１を、回転自在なローラを具備して構成し、このローラを、持ち上げ手段に８よる下方戸板手段６の下端側７の初期の持ち上げにおいて、傾斜縁２２３に転がり接触させるようにすると、初期の折り畳みが更に滑らかに行われるようになり、好ましい。
【００４４】
【発明の効果】
本発明によれば、閉鎖時における強風等による連結部の近傍の孕みだしを容易になくすことができ、戸板全体をほぼ平坦にしっかりと保持し得て、騒音の発生の虞をなくし得る。
【図面の簡単な説明】
【図１】本発明の好ましい一実施例の閉鎖状態の斜視図である。
【図２】図１に示す例の開口状態の斜視図である。
【図３】図１に示す例の開口状態の一部拡大斜視図である。
【図４】図１に示す例の一部拡大平面図である。
【図５】図１に示す例の一部拡大正面図である。
【図６】図１に示す例の一部拡大平面図である。
【図７】図１に示す例の一部拡大斜視図である。
【図８】図１に示す例の一部拡大断面図である。
【図９】図９に示すＩＸ−ＩＸ線断面図である。
【図１０】図９に示すＸ−Ｘ線断面図である。
【図１１】図９に示すＸＩ−ＸＩ線断面図である。
【図１２】図１に示す例の動作説明である。
【図１３】図１に示す例の動作説明である。
【符号の説明】
１  折り戸
２、３  縦枠
４  軸心
５  上方戸板手段
６  下方戸板手段
８  持ち上げ手段
１５  ロック手段
【図１】
0004126770.tif 000002
【図２】
0004126770.tif 000003
【図３】
0004126770.tif 000004
【図４】
0004126770.tif 000005
【図５】
0004126770.tif 000006
【図６】
0004126770.tif 000007
【図７】
0004126770.tif 000008
【図８】
0004126770.tif 000009
【図９】
0004126770.tif 000010
【図１０】
0004126770.tif 000011
【図１１】
0004126770.tif 000012
【図１２】
0004126770.tif 000013
【図１３】
0004126770.tif 000014